(57)【要約】【課題】  使用する部品点数を大幅に削減し、全体の低コスト性及び資源節約性を高めるとともに、保管性及び携帯性を高めて使用時の利便性を向上させる。【解決手段】  グリップ本体部３ｍ及びストラップ部３ｓを有するグリップ部３における当該グリップ本体部３ｍとポール部２を一体に構成したポールユニットＰｕと、異なる目的に対応した複数のストラップ部３ｓａ，３ｓｂ，３ｓｃ，３ｓｄと、グリップ本体部３ｍに対して複数のストラップ部３ｓａ…を選択的に取付け又は取外し可能にするストラップ着脱部Ｓｕと、異なる目的に対応した複数の石突部４ａ，４ｂ，４ｃ，４ｄと、ポール部２の下端部に対して複数の石突部４ａ…を選択的に取付け又は取外し可能にする石突着脱部Ｓｄとを備える。【選択図】  図１
2018121687.tif 000002
【特許請求の範囲】
【請求項１】
ポール部と、このポール部の上端に設けたグリップ部と、前記ポール部の下端に設けた石突部とを具備してなる多目的ポールであって、グリップ本体部及びストラップ部を有する前記グリップ部における当該グリップ本体部と前記ポール部を一体に構成したポールユニットと、異なる目的に対応した複数のストラップ部と、前記グリップ本体部に対して前記複数のストラップ部を選択的に取付け又は取外し可能にするストラップ着脱部と、異なる目的に対応した複数の石突部と、前記ポール部の下端部に対して前記複数の石突部を選択的に取付け又は取外し可能にする石突着脱部とを備えてなることを特徴とする多目的ポール。
【請求項２】
前記ポール部は、複数のポールメンバの少なくとも一部を組合わせた伸縮構造部及び／又は折畳構造部を備えることを特徴とする請求項１記載の多目的ポール。
【請求項３】
前記ポールメンバは、相隣るポールメンバ間における周方向への相対的な回動変位を規制する回止部を備えることを特徴とする請求項２記載の多目的ポール。
【請求項４】
前記グリップ本体部は、前記ストラップ着脱部を設ける背面であって、前記ポール部を後方へ振った際に使用者の手に接触する面を、面接触可能な湾曲面に形成してなることを特徴とする請求項１記載の多目的ポール。
【請求項５】
前記ストラップ部には、ノルディックウォーキングポール用ストラップ部，ノーマルウォーキングポール用ストラップ部，トレッキングポール用ストラップ部，スキーポール用ストラップ部の二以上を含むことを特徴とする請求項１記載の多目的ポール。
【請求項６】
前記石突部には、ノルディックウォーキングポール用石突部，ノーマルウォーキングポール用石突部，トレッキングポール用石突部，スキーポール用石突部の二以上を含むことを特徴とする請求項１記載の多目的ポール。
【発明の詳細な説明】
【技術分野】
【０００１】
本発明は、ポール部，このポール部の上端に設けたグリップ部及び当該ポール部の下端に設けた石突部を備える多目的ポールに関する。
【背景技術】
【０００２】
一般に、レクリエーションやスポーツ等に使用する各種ポールは知られている。また、最近は、ポールを使用することにより健康増進等を目的としたノルディックウォーキングも広く行われており、ポールの種類は増加傾向にある。一方、レクリエーション等でウォーキングを行う場合、最初に軽いウォーキングを行い、この後、比較的難易度の高いトレッキングを行うなど、実際の使用に際しては、ポールを使い分ける場合も少なくない。結局、このような背景から、使用者は、複数の異なるポールを用意しなければならず、使用者にとってのコスト的な負担が無視できないとともに、保管面や携帯面においても煩わしさと不便さが大きなマイナス要素となる。
【０００３】
このため、本出願人は、既に、この問題を解決できるポール類を、特許文献１により提案した。このポール類は、低コスト性及び資源節約性を高めるとともに、ポール類としての多様性，興味性及び面白みを高めることを目的としたものであり、具体的には、パイプ部材により形成したポール本体部の上端部に手で握ることができるグリップ部を設けてなるグリップ付ポール類において、グリップ部の下端部（又はポール本体部の上端部）に一体に設け、かつ少なくとも二種類以上の異なるポール本体部の上端部（又はグリップ部の下端部に形成した挿入孔部）に対して着脱可能な着脱部と、ポール本体部の上端部（又は挿入孔部）に着脱部を装着した際にポール本体部の上端部（又は挿入孔部）と着脱部を固定可能な固定部とを備えて構成したものである。
【先行技術文献】
【特許文献】
【０００４】
【特許文献１】実用新案登録第３１６７６６２号公報
【発明の概要】
【発明が解決しようとする課題】
【０００５】
しかし、上述した特許文献１における従来のポール類は、次のような解決すべき課題も残されていた。
【０００６】
即ち、ポール類を上側のグリップ部位と下側のポール部位の二つに分け、それぞれに複数の種類を用意するとともに、目的に応じて組合わせるため、グリップ部位とポール部位の双方をそれぞれを複数種類用意する必要があり、例えば、四種類のポールを使いたい場合、二種類のグリップ部位と二種類のポール部位が必要となる。この場合、独立した異なる四本のポール類を用意することに比べれば、部品点数を半減させることができるため、相応のメリットを享受できるものの、ポール類の主要部分を構成するグリップ部位とポール部位をそれぞれ複数用意する必要があり、必ずしも十分な改善域に達しているとはいえない。
【０００７】
したがって、部品点数をより削減し、低コスト性及び資源節約性をより高めるとともに、保管性及び携帯性をより高めることにより、使用時の利便性を向上させる観点からは、更なる改善の余地があった。
【０００８】
本発明は、このような背景技術に存在する課題を解決した多目的ポールの提供を目的とするものである。
【課題を解決するための手段】
【０００９】
本発明に係る多目的ポール１は、上述した課題を解決するため、ポール部と、このポール部の上端に設けたグリップ部と、ポール部の下端に設けた石突部とを具備してなる多目的ポールを構成するに際して、グリップ本体部３ｍ及びストラップ部３ｓを有するグリップ部３における当該グリップ本体部３ｍとポール部２を一体に構成したポールユニットＰｕと、異なる目的に対応した複数のストラップ部３ｓａ，３ｓｂ，３ｓｃ，３ｓｄと、グリップ本体部３ｍに対して複数のストラップ部３ｓａ…を選択的に取付け又は取外し可能にするストラップ着脱部Ｓｕと、異なる目的に対応した複数の石突部４ａ，４ｂ，４ｃ，４ｄと、ポール部２の下端部に対して複数の石突部４ａ…を選択的に取付け又は取外し可能にする石突着脱部Ｓｄとを備えてなることを特徴とする。
【００１０】
この場合、発明の好適な態様により、ポール部２には、複数のポールメンバ２ａ，２ｂ，２ｃ，２ｄ，２ｅの少なくとも一部を組合わせた伸縮構造部Ｍｅ及び／又は折畳構造部Ｍｓを設けることができる。また、この際、ポールメンバ２ａ，２ｂ…には、相隣るポールメンバ２ａ，２ｂ…間における周方向Ｆｆへの相対的な回動変位を規制する回止部Ｃｐ，Ｃｑを設けることができる。さらに、グリップ本体部３ｍにおけるストラップ着脱部Ｓｕを設ける背面であって、ポール部２を後方へ振った際に使用者の手に接触する面は、面接触可能な湾曲面３ｍｒに形成することができる。なお、ストラップ部（３ｓａ…）には、ノルディックウォーキングポール用ストラップ部３ｓａ，ノーマルウォーキングポール用ストラップ部３ｓｂ，トレッキングポール用ストラップ部３ｓｃ，スキーポール用ストラップ部３ｓｄの、少なくとも二以上を含ませることができるとともに、石突部（４ａ…）には、ノルディックウォーキングポール用石突部４ａ，ノーマルウォーキングポール用石突部４ｂ，トレッキングポール用石突部４ｃ，スキーポール用石突部４ｄの、少なくとも二以上を含ませることができる。
【発明の効果】
【００１１】
このような構成を有する本発明に係る多目的ポール１によれば、次のような顕著な効果を奏する。
【００１２】
（１）  基本構成として、グリップ本体部３ｍとポール部２を一体に構成したポールユニットＰｕと、複数のストラップ部３ｓａ…と、グリップ本体部３ｍに対してストラップ部３ｓａ…を選択的に取付け又は取外し可能にするストラップ着脱部Ｓｕと、複数の石突部４ａ…と、ポール部２の下端部に対して石突部４ａ…を選択的に取付け又は取外し可能にする石突着脱部Ｓｄとを備えるため、主要部を構成するポールユニットＰｕは、多目的ポール１の有するポール態様の種類数に拘わらず、一本用意すれば足りる。この結果、使用する全体の部品点数を大幅に削減できるとともに、ポールユニットＰｕ以外に使用する部品は、比較的、低コスト化及び単純化が可能になるため、全体の低コスト性及び資源節約性をより高めることができる。しかも、保管性及び携帯性もより高めることができるため、使用時の利便性を大きく向上させることができる。
【００１３】
（２）  好適な態様により、ポール部２に、複数のポールメンバ２ａ，２ｂ，２ｃ，２ｄ，２ｅの少なくとも一部を組合わせた伸縮構造部Ｍｅ及び／又は折畳構造部Ｍｓを設ければ、当該伸縮構造部Ｍｅ及び／又は折畳構造部Ｍｓに基づく保管性及び携帯性を高めることができるとともに、本発明に係る多目的ポール１に基づく保管性及び携帯性と相俟って、全体の保管性及び携帯性を飛躍的に高めることができる。
【００１４】
（３）  好適な態様により、ポールメンバ２ａ，２ｂ…に、相隣るポールメンバ２ａ，２ｂ…間における周方向Ｆｆへの相対的な回動変位を規制する回止部Ｃｐ，Ｃｑを設ければ、この回止部Ｃｐ，Ｃｑにより、各ポールメンバ２ａ，２ｂ…の周方向Ｆｆへの相対的な回動変位を規制できるため、特に、石突部４ａ…が非対称形であって、取付位置の方向性を有する場合であっても、使用中に、石突部４ａ…の方向（角度）が変わってしまう不具合を回避できる。
【００１５】
（４）  好適な態様により、グリップ本体部３ｍにおけるストラップ着脱部Ｓｕを設ける背面であって、ポール部２を後方へ振った際に使用者の手に接触する面を、面接触可能な湾曲面３ｍｒに形成すれば、特に、ノルディックウォーキングポールとして使用する際には、湾曲面３ｍｒを使用者の手に面接触させることができるため、使用時における安定感及び使用感をより高めることができる。
【００１６】
（５）  好適な態様により、ストラップ部（３ｓａ…）に、ノルディックウォーキングポール用ストラップ部３ｓａ，ノーマルウォーキングポール用ストラップ部３ｓｂ，トレッキングポール用ストラップ部３ｓｃ，スキーポール用ストラップ部３ｓｄの、少なくとも二以上を含ませるとともに、石突部（４ａ…）に、ノルディックウォーキングポール用石突部４ａ，ノーマルウォーキングポール用石突部４ｂ，トレッキングポール用石突部４ｃ，スキーポール用石突部４ｄの、少なくとも二以上を含ませれば、代表的な四種類のポールに使用できるため、多目的ポール１としての十分な多様性及び多機能性を確保できるとともに、付加価値が高められることに伴う商品性及び使用時の有効性を高めることができる。
【図面の簡単な説明】
【００１７】
【図１】本発明の好適実施形態に係る多目的ポールの全体を示す外観図、
【図２】同多目的ポールにおけるグリップ本体部の断面側面図、
【図３】同多目的ポールの平面図、
【図４】同多目的ポールにおけるストラップ着脱部のストラップ部側の構成例を示す外観斜視図、
【図５】同多目的ポールにおけるポール部の一部を省略した全体構造を示す一部断面側面図、
【図６】同多目的ポールにおける回止部の構成を示す一部断面側面図、
【図７】同多目的ポールにおける回止部の第一変更例を示す一部断面側面図、
【図８】同多目的ポールにおける回止部の第二変更例を示す一部断面側面図、
【図９】同多目的ポールにおける回止部の第三変更例を示す一部断面側面図、
【図１０】同多目的ポールをノルディックウォーキングポールとして使用する際の取付状態を示す使用説明図、
【図１１】同多目的ポールをノーマルウォーキングポールとして使用する際の取付状態を示す使用説明図、
【図１２】同多目的ポールをトレッキングポールとして使用する際の取付状態を示す使用説明図、
【図１３】同多目的ポールをスキーポールとして使用する際の取付状態を示す使用説明図、
【発明を実施するための形態】
【００１８】
次に、本発明に係る好適実施形態を挙げ、図面に基づき詳細に説明する。
【００１９】
まず、本実施形態に係る多目的ポール１の構成について、図１〜図７を参照して具体的に説明する。
【００２０】
多目的ポール１は、図１に示すように、基本的な構成として、グリップ本体部３ｍ及びストラップ部３ｓを有するグリップ部３における当該グリップ本体部３ｍとポール部２を一体に構成したポールユニットＰｕと、異なる目的に対応した複数のストラップ部３ｓａ…、具体的には、ノルディックウォーキングポール用ストラップ部３ｓａ，ノーマルウォーキングポール用ストラップ部３ｓｂ，トレッキングポール用ストラップ部３ｓｃ及びスキーポール用ストラップ部３ｓｄと、グリップ本体部３ｍに対して複数のストラップ部３ｓａ…を選択的に取付け又は取外し可能にするストラップ着脱部Ｓｕと、異なる目的に対応した複数の石突部４ａ…、具体的には、ノルディックウォーキングポール用石突部４ａ，ノーマルウォーキングポール用石突部４ｂ，トレッキングポール用石突部４ｃ及びスキーポール用石突部４ｄと、ポール部２の下端部に対して複数の石突部４ａ…を選択的に取付け又は取外し可能にする石突着脱部Ｓｄとを備える。
【００２１】
ポールユニットＰｕは、ポール部２と、このポール部２の上端部位に配するグリップ本体部３ｍを一体にしたものであり、単一ユニットとして構成する。したがって、ポールユニットＰｕの一部を構成するポール部２には、石突部４ａ…を含まないとともに、ポールユニットＰｕの残部を構成するグリップ本体部３ｍには、ストラップ部３ｓａ…を含まない。
【００２２】
ポール部２は、図１及び図５に示すように、上から下に、第一ポールメンバ２ａ，第二ポールメンバ２ｂ，第三ポールメンバ２ｃ，第四ポールメンバ２ｄ，第五ポールメンバ２ｅの五本のポールメンバの組合わせにより構成する。最上位に位置する第一ポールメンバ２ａの上端側は、図２に示すように、グリップ本体部３ｍの下端から内部に収容する。この場合、グリップ本体部３ｍの成形時にインサート成形等により第一ポールメンバ２ａを一体化させることができる。一方、第一ポールメンバ２ａの下端側の外周面には、図５に示すように、全体を円筒状に構成した第一ロック機構部１１の上部を固定する。また、第二ポールメンバ２ｂの上端側は、第一ロック機構部１１の下端側から内部に挿入し、さらに、第一ポールメンバ２ａの内部に挿入する。
【００２３】
この第一ロック機構部１１は、図５に示すように、実線で示すロック位置Ｘｃ又は仮想線で示すロック解除位置Ｘｒに切換操作可能な操作レバー部１１ｈを備える。これにより、操作レバー部１１ｈを、ロック解除位置Ｘｒに切換えれば、第一ロック機構部１１によるロックを解除でき、第一ポールメンバ２ａに対して第二ポールメンバ２ｂを挿入又は引出可能となる。即ち、第二ポールメンバ２ｂと第一ポールメンバ２ａ間の全長を変更することができる。他方、操作レバー部１１ｈを、ロック位置Ｘｃに切換えれば、第一ロック機構部１１のロック機能により、第一ポールメンバ２ａに対する第二ポールメンバ２ｂの相対位置を固定（ロック）できる。したがって、第一ポールメンバ２ａ，第二ポールメンバ２ｂ及び第一ロック機構部１１は、ポール部２における伸縮構造部Ｍｅを構成する。
【００２４】
一方、第二ポールメンバ２ｂの内部には下端開口から第三ポールメンバ２ｃの上端側を挿入する。また、第二ポールメンバ２ｂの外周面における下端位置には、筒形状のストッパ１２ｃを固定するとともに、第三ポールメンバ２ｃの外周面における上部の所定位置には、スプリング１２ｓにより弾性支持される係止ピン１２ｐを配設する。これにより、第二ポールメンバ２ｂから第三ポールメンバ２ｃを引き出し、係止ピン１２ｐをストッパ１２ｃの下方に位置させれば、係止ピン１２ｐが突出してストッパ１２ｃの下端に係止可能となる。この結果、第三ポールメンバ２ｃの上方への変位、即ち、第二ポールメンバ２ｂに対して挿入する方向の変位が規制されるため、後述するテンションワイヤ１３を緊張状態にすることができる。他方、係止ピン１２ｐを内方へ押し込み、ストッパ１２ｃに対する係止を解除すれば、第三ポールメンバ２ｃを第二ポールメンバ２ｂに対して挿入できるため、テンションワイヤ１３を弛緩状態にすることができる。これにより、後述するように、第五ポールメンバ２ｅは、第四ポールメンバ２ｄに対して折り畳むことができるとともに、第四ポールメンバ２ｄは、第三ポールメンバ２ｃに対して折り畳むことができる。したがって、ストッパ１２ｃ，スプリング１２ｓ及び係止ピン１２ｐは、使用時に、第三ポールメンバ２ｃ，第四ポールメンバ２ｄ及び第五ポールメンバ２ｅ間を緊張状態に固定する第二ロック機構部１２を構成する。
【００２５】
さらに、図５及び図６に示すように、第三ポールメンバ２ｃの下端と第四ポールメンバ２ｄの上端は、周方向Ｆｆ（図３参照）への相対的な回動変位を規制する回止部Ｃｐを介して結合可能に構成する。例示の回止部Ｃｐは、第三ポールメンバ２ｃの下端に、当該第三ポールメンバ２ｃの外周面よりも小径となり、かつ第四ポールメンバ２ｄの上端開口に挿入する結合筒部２ｃｊを設け、この結合筒部２ｃｊの外周面に、軸方向に沿った凹溝及び凸条による軸側のスプライン係合部Ｃｐｓを形成するとともに、当該結合筒部２ｃｊの外周面に係合する第四ポールメンバ２ｄの内周面に、軸方向に沿った凹溝及び凸条による軸受側のスプライン係合部Ｃｐｒを形成した。
【００２６】
同様に、第四ポールメンバ２ｄの下端と第五ポールメンバ２ｅの上端は、周方向Ｆｆへの相対的な回動変位を規制する回止部Ｃｑを介して結合可能に構成する。例示の回止部Ｃｑは、第四ポールメンバ２ｄの下端に、当該第四ポールメンバ２ｄの外周面よりも小径となり、かつ第五ポールメンバ２ｅの上端開口に挿入する結合筒部２ｄｊを設け、この結合筒部２ｄｊの外周面に、軸方向に沿った凹溝及び凸条による軸側のスプライン係合部Ｃｑｓを形成するとともに、当該結合筒部２ｄｊの外周面に係合する第五ポールメンバ２ｅの内周面に、軸方向に沿った凹溝及び凸条による軸受側のスプライン係合部Ｃｑｒを形成した。
【００２７】
このように、ポールメンバ２ａ，２ｂ…に、相隣るポールメンバ２ａ，２ｂ…間における周方向Ｆｆへの相対的な回動変位を規制する回止部Ｃｐ，Ｃｑを設ければ、この回止部Ｃｐ，Ｃｑにより、各ポールメンバ２ａ，２ｂ…の周方向Ｆｆへの相対的な回動変位を規制できるため、特に、石突部４ａ…が非対称形であって、取付位置の方向性を有する場合であっても、使用中に、石突部４ａ…の方向（角度）が変わってしまう不具合を回避できる。
【００２８】
第三ポールメンバ２ｃに対する第四ポールメンバ２ｄの着脱構造及び第四ポールメンバ２ｄに対する第五ポールメンバ２ｅの着脱構造、更には第二ロック機構部１２は、ポール部２における折畳構造部Ｍｓを構成している。ポール部２に、このような折畳構造部Ｍｓ及び／又は前述した伸縮構造部Ｍｅを設ければ、当該伸縮構造部Ｍｅ及び／又は折畳構造部Ｍｓに基づく保管性及び携帯性を高めることができるとともに、本実施形態に係る多目的ポール１に基づく保管性及び携帯性と相俟って、全体の保管性及び携帯性を飛躍的に高めることができる。
【００２９】
また、第五ポールメンバ２ｅにおける上端側の内部には、図６に示すように、ナット部１４ｎを固定する。このナット部１４ｎは、第五ポールメンバ２ｅの内周面であって、スプライン係合部Ｃｑｒを避けた位置に固定する。さらに、ナット部１４ｎには、軸方向に貫通する挿通孔１４ｒを内部に形成したボルト部１４ｓを螺合する。そして、引張方向に対して所定の弾性を持たせたテンションワイヤ１３を用意し、このテンションワイヤ１３の下端側を、当該挿通孔１４ｒに対して上から挿通させ、挿通孔１４ｒの下端から導出したテンションワイヤ１３の下端に下ワイヤ止部１５を固定する。これにより、ボルト部１４ｓを回し操作すれば、テンションワイヤ１３の下端を下方又は上方へ変位させることができ、テンションワイヤ１３のテンションを調整できるテンション調整部１４が構成される。他方、テンションワイヤ１３の上端側は、図５に示すように、第四ポールメンバ２ｄの内部，第三ポールメンバ２ｃの内部，第二ポールメンバ２ｂの内部，第一ポールメンバ２ａの内部をそれぞれ通し、図２に示すように、第一ポールメンバ２ａの上端上方に設けた上ワイヤ止部１６に固定する。
【００３０】
なお、図６は、スプライン係合部Ｃｐｓ…を用いて回止部Ｃｐ，Ｃｑを構成したため、外観上の変更がなく、回止部Ｃｐ，Ｃｑは結合した際に外から見えない。したがって、外観性を損なわない利点を有しているが、回止部Ｃｐ，Ｃｑの機能を確保する観点からは他の各種形態により実施可能である。
【００３１】
図７〜図９に、他の形態を用いた回止部Ｃｐの変更例を示す。図７（ａ），（ｂ）は、回止部Ｃｐの第一変更例を示す。図７（ａ）は、第三ポールメンバ２ｃと第四ポールメンバ２ｄの衝き当てる端部に凹凸による係合部２ｃｓと２ｄｓそれぞれ形成したものであり、例示は、ノコギリ刃状に形成した例を示す。係合部２ｃｓと２ｄｓの形状は、ノコギリ刃状に限らず、曲線を用いた波形形状や矩形を用いた矩形波形状などであってもよい。また、図７（ｂ）は、第三ポールメンバ２ｃと第四ポールメンバ２ｄの衝き当てる端部に、一つの凹部２ｄｉとこの凹部２ｄｉに嵌合する凸部２ｄｐをそれぞれ形成したものである。いずれの変更例も、第四ポールメンバ２ｄに第三ポールメンバ２ｃの結合筒部２ｃｊを挿入して結合できるとともに、結合した際には回止部Ｃｐとして機能させることができる。回止部Ｃｐについて説明したが、回止部Ｃｑも同様に実施可能である。図７に示す第三ポールメンバ２ｃと第四ポールメンバ２ｄの位置関係は反対となるが、図６と対比できるように、図６と同じ位置関係で示した。
【００３２】
図８は、回止部Ｃｐの第二変更例を示す。図８は、前述した図５に示した第二ロック機構部１２と同様の構成を利用したものであり、第三ポールメンバ２ｃの結合筒部２ｃｊに形成した孔部２ｈｃに、スプリング２ｓｃにより弾性支持される係止ピン２ｐｃの先端部を挿入するとともに、第四ポールメンバ２ｄに、当該係止ピン２ｐｃが入り込む孔部２ｄｈを形成したものである。なお、２ｆｃは当該係止ピン２ｐｃに一体形成したストッパ部であり、係止ピン２ｐｃの位置決めを行うとともに、飛出しを防止する機能を有している。図８に示す回止部Ｃｐは、第四ポールメンバ２ｄに第三ポールメンバ２ｃの結合筒部２ｃｊを挿入した際に、クリック的に結合し、結合した際には回止部Ｃｐとして機能させることができる。回止部Ｃｐについて説明したが、回止部Ｃｑも同様に実施可能である。図８に示す第三ポールメンバ２ｃと第四ポールメンバ２ｄの位置関係は反対となるが、図６と対比できるように、図６と同じ位置関係で示した。
【００３３】
図９は、回止部Ｃｐの第三変更例を示す。図９は、第三ポールメンバ２ｃの端部開口に、内部に挿通孔２ｍｈを有する筒形に形成した雄ネジ体部２ｍを挿入固定するとともに、第四ポールメンバ２ｄの端部開口に、内部に雌ネジ部２ｎｓを形成した筒形の雌ネジ体部２ｎを挿入固定したものである。雄ネジ体部２ｍにおいて、２ｍｓは第三ポールメンバ２ｃの端部開口から突出した雄ネジ部を示すとともに、２ｍｆは第三ポールメンバ２ｃの端部開口に係止するストッパ部を示す。なお、図９に示す回止部Ｃｐの場合、第三ポールメンバ２ｃ側には結合筒部２ｃｊを設けていない。図９に示す回止部Ｃｐは、第三ポールメンバ２ｃの雄ネジ部を２ｍｓを第四ポールメンバ２ｄの雌ネジ部２ｎｓに螺着することにより、一体的に結合できるとともに、螺着時の終端で回止部Ｃｐとして機能させることができる。回止部Ｃｐについて説明したが、回止部Ｃｑも同様に実施可能である。なお、特に、図８及び図９に示す回止部Ｃｐ…は、回止機能に加え、軸方向の相対変位も規制されるため、抜け止めを阻止する抜止機能を付加できる利点がある。
【００３４】
他方、第五ポールメンバ２ｅの下端部は、複数の石突部４ａ…を選択的に取付け又は取外し可能にする石突着脱部Ｓｄとして構成する。したがって、第五ポールメンバ２ｅの下端部には、各石突部４ａ…に形成した着脱孔部Ｓｄａ…（図１０参照）に対して着脱可能な着脱軸部Ｓｄｐを設ける。なお、符号１８は石突着脱部Ｓｄの上側に設けた鍔部であり、第五ポールメンバ２ｅの下部に固定する。
【００３５】
一方、グリップ本体部３ｍは、図２に示すように、合成樹脂素材又はゴム素材等により一体成形する。この場合、グリップ本体部３ｍは、前述したように、ポール部２の上端に一体に設けるとともに、複数のストラップ部３ｓａ…を選択的に取付け又は取外し可能にするストラップ着脱部Ｓｕを設ける。ストラップ着脱部Ｓｕは、グリップ本体部３ｍの上端近傍に設けた上着脱部Ｓｕｐと、グリップ本体部３ｍの下端近傍に設けた下着脱部Ｓｕｄを備える。上着脱部Ｓｕｐは、グリップ本体部３ｍの背面に形成することにより、斜め下方に向けて開口した取付凹部２１を有するとともに、この取付凹部２１の開口方向に対して直角に形成し、かつ取付凹部２１の中央付近に固定ネジ２２を配するネジ取付孔２３を有する。ネジ取付孔２３は、取付凹部２１における上側壁面側に形成し、外側から固定ネジ２２を挿通可能なネジ挿通孔２３ｓと、取付凹部２１における下側壁面に形成し、固定ネジ２２が螺着するネジ孔部２３ｎにより構成する。
【００３６】
また、グリップ本体部３ｍにおける上着脱部Ｓｕｐを設ける背面であって、ポール部２を後方へ振った際に使用者の手に接触する面、即ち、取付凹部２１が開口する背面は、図２に示すように、使用者の手に面接触可能な湾曲面３ｍｒに形成する。このような湾曲面３ｍｒを形成すれば、特に、ノルディックウォーキングポールとして使用する際には、湾曲面３ｍｒを使用者の手に面接触させることができるため、使用時における安定感及び使用感をより高めることができる利点がある。
【００３７】
さらに、各ストラップ部３ｓａ…の上端部位には、固定ネジ２２が挿通可能な挿通孔部２４を設ける。この場合、挿通孔部２４を設ける形態としては、各種形態を採用することができ、図４（ａ），（ｂ）にその一例を示す。図４（ａ）は、ストラップ部３ｓａ…における上端部の取付部位Ｓｕｍに、ハトメ２５を取付け、このハトメ２５の内側空間を挿通孔部２４としたものである。図４（ｂ）は、合成樹脂素材等により一体成形した上結合部材Ｓｕｅを別途用意し、この上結合部材Ｓｕｅの一端側に、取付凹部２１に挿入可能なグリップ取付部２６を設け、このグリップ取付部２６に、固定ネジ２２が挿通する挿通孔部２４を形成するとともに、他端側に、ストラップ部３ｓａ…の上端部を結合可能なストラップ取付部２７を設けたものである。したがって、このストラップ取付部２７に、各ストラップ部３ｓｂ…の上端部位を取付けることができる。このような図４（ａ），（ｂ）に示す取付形態は、各ストラップ部３ｓａ…の形態などを考慮して任意に選択することができる。
【００３８】
一方、下着脱部Ｓｕｄは、図２に示すように、グリップ本体部３ｍの下端近傍に周方向に沿った取付リング溝部３１を形成し、この取付リング溝部３１に下結合部材３２を取付けて構成する。この場合、下結合部材３２は所定の弾性を有する合成樹脂素材により一体成形し、この下結合部材３２の一端側に形成した取付リング部３２ｒを、取付リング溝部３１に嵌め込んで取付ける。そして、下結合部材３２の他端側に形成した図３に現れるストラップ取付部３２ｊに、ストラップ部３ｓｂ…の下端部を取付けることができる。この場合、下結合部材３２は、グリップ本体部３ｍに対して着脱可能に構成してもよいし、固定状態、即ち、グリップ本体部３ｍに取付けた状態のままであってもよい。また、グリップ本体部３ｍに一体に形成してもよい。
【００３９】
以上により、ポール部２とグリップ本体部３ｍを含むポールユニットＰｕが構成される。さらに、本実施形態に係る多目的ポール１は、異なる目的に対応した複数のストラップ部３ｓａ…、即ち、ノルディックウォーキングポール用ストラップ部３ｓａ，ノーマルウォーキングポール用ストラップ部３ｓｂ，トレッキングポール用ストラップ部３ｓｃ及びスキーポール用ストラップ部３ｓｄを備えるとともに、異なる目的に対応した複数の石突部４ａ…、即ち、ノルディックウォーキングポール用石突部４ａ，ノーマルウォーキングポール用石突部４ｂ，トレッキングポール用石突部４ｃ及びスキーポール用石突部４ｄを備える。なお、これらの構成におけるポールユニットＰｕに関連する部位の構成については、上述したが、個別の構成については、以下に記載する本実施形態に係る多目的ポール１の使用方法の中で一緒に説明する。
【００４０】
次に、本実施形態に係る多目的ポール１の使用方法について、図１〜図１３を参照して説明する。
【００４１】
まず、多目的ポール１は、非使用時において、三つ折り状態に折り畳むことができる。以下、具体的な折畳み手順について説明する。今、ポールユニットＰｕは、第一ポールメンバ２ａから第五ポールメンバ２ｅまでが直線上に連結された使用状態にあるものとする。したがって、第二ロック機構部１２は、係止ピン１２ｐが突出することによりストッパ１２ｃに係止したロック状態にある。
【００４２】
この状態において、係止ピン１２ｐを内方に押し込めば、ストッパ１２ｃに対する係止を解除できるため、第三ポールメンバ２ｃを第二ポールメンバ２ｂに挿入することにより、テンションワイヤ１３を弛緩状態にすることができる。これにより、第三ポールメンバ２ｃから第四ポールメンバ２ｄを容易に引き抜くことができるとともに、第四ポールメンバ２ｄから第五ポールメンバ２ｅを容易に引き抜くことができるため、第三ポールメンバ２ｃを含む上側のポール部分に、第四ポールメンバ２ｄを折り畳むとともに、第四ポールメンバ２ｄに、第五ポールメンバ２ｅを折り畳めばよい。
【００４３】
一方、多目的ポール１を使用する際は、次のように組付けることができる。まず、第三ポールメンバ２ｃの下端に設けた結合筒部２ｃｊを、第四ポールメンバ２ｄの上端開口に挿入するとともに、第四ポールメンバ２ｄの下端に設けた結合筒部２ｄｊを、第五ポールメンバ２ｅの上端開口に挿入する。この際、同時に、回止部Ｃｐを構成するスプライン係合部ＣｐｓとＣｐｒが係合して第三ポールメンバ２ｃと第四ポールメンバ２ｄ間の回り止めが行われるとともに、回止部Ｃｑを構成するスプライン係合部ＣｑｓとＣｑｒが係合して第四ポールメンバ２ｄと第五ポールメンバ２ｅ間の回り止めが行われる。
【００４４】
次いで、第三ポールメンバ２ｃから第四ポールメンバ２ｄを引き出し、係止ピン１２ｐをストッパ１２ｃの下方に位置させる。これにより、テンションワイヤ１３が緊張状態になるとともに、係止ピン１２ｐはストッパ１２ｃの下端に係止し、第二ロック機構部１２がロック状態になる。即ち、第五ポールメンバ２ｅ，第四ポールメンバ２ｄ及び第五ポールメンバ２ｅの連結状態が緊張状態を維持したままロックされる。なお、この状態におけるテンションワイヤ１３の緊張力は、図５に示すテンション調整部１４におけるボルト部１４ｓを回すことにより調整可能である。
【００４５】
また、第一ロック機構部１１の操作レバー部１１ｈをロック解除位置Ｘｒに変位させることにより、ポールユニットＰｕの全長を調整することができる。即ち、操作レバー部１１ｈをロック解除位置Ｘｒに変位させれば、第一ポールメンバ２ａに対する第二ポールメンバ２ｂの相対位置に対するロックを解除できるため、第一ポールメンバ２ａに対して第二ポールメンバ２ｂを挿入し又は引出すことにより、使用者の希望する任意の長さに調整することができる。そして、長さ調整が終了したなら、操作レバー部１１ｈをロック位置Ｘｃに変位させれば、第一ポールメンバ２ａに対する第二ポールメンバ２ｂの相対位置をロックすることができる。
【００４６】
そして、図１に示すように、異なる目的に対応した複数のストラップ部３ｓａ…、即ち、ノルディックウォーキングポール用ストラップ部３ｓａ，ノーマルウォーキングポール用ストラップ部３ｓｂ，トレッキングポール用ストラップ部３ｓｃ，スキーポール用ストラップ部３ｓｄの少なくとも二以上を用意し、使用の目的に対応したストラップ部３ｓａ…を選択して、ポールユニットＰｕのストラップ着脱部Ｓｕに取付けるとともに、異なる目的に対応した複数の石突部４ａ…、即ち、ノルディックウォーキングポール用石突部４ａ，ノーマルウォーキングポール用石突部４ｂ，トレッキングポール用石突部４ｃ，スキーポール用石突部４ｄの少なくとも二以上を用意し、使用の目的に対応した石突部４ａ…を選択して、ポールユニットＰｕの石突着脱部Ｓｄに取付ける。
【００４７】
したがって、本実施形態に係る多目的ポール１では、図１０〜図１３にそれぞれ示す四種類のポール、即ち、ノルディックウォーキングポール１ａ，ノーマルウォーキングポール１ｂ，トレッキングポール１ｃ及びスキーポール１ｄを得ることができる。このように、ストラップ部（３ｓａ…）に、ノルディックウォーキングポール用ストラップ部３ｓａ，ノーマルウォーキングポール用ストラップ部３ｓｂ，トレッキングポール用ストラップ部３ｓｃ，スキーポール用ストラップ部３ｓｄを含ませるとともに、石突部４に、ノルディックウォーキングポール用石突部４ａ，ノーマルウォーキングポール用石突部４ｂ，トレッキングポール用石突部４ｃ，スキーポール用石突部４ｄを含ませれば、代表的な四種類のポールに使用できるため、多目的ポール１としての十分な多様性及び多機能性を確保できるとともに、付加価値が高められることに伴う商品性及び使用時の有効性を高めることができる。
【００４８】
次に、多目的ポール１の具体的な使用態様、即ち、ノルディックウォーキングポール１ａ，ノーマルウォーキングポール１ｂ，トレッキングポール１ｃ及びスキーポール１ｄについて、図１０〜図１３を参照して説明する。
【００４９】
図１０は、多目的ポール１をノルディックウォーキングポール１ａとして使用する第一の態様を示す。この場合、ノルディックウォーキングポール用ストラップ３ｓａ及びノルディックウォーキングポール用石突部４ａを選択する。
【００５０】
このストラップ３ｓａは、使用時に、ポール１ａを後方へ押し放つため、グリップ本体部３ｍから手が離れる場合がある。このため、ストラップ３ｓａは、手首に巻き付けることができるバンド部５１を有するとともに、親指を通す第一開口部５２及び残りの指を通す第二開口部５３を有する。また、ストラップ３ｓａには、図４（ａ）に示したハトメ２５を取付けて上着脱部Ｓｕｐを構成する。これにより、ストラップ３ｓａをグリップ本体部３ｍに取付ける際には、ハトメ２５の部位を取付凹部２１に挿入し、固定ネジ２２を、挿通孔部２４に挿通させるとともに、ネジ取付孔２３に螺着して取付ける。
【００５１】
一方、石突部４ａは、地面に接する面が傾斜した非対称形状となり、全体をゴム素材等により一体成形するとともに、石突部４ａの上端面から下方に着脱孔部Ｓｄａを形成し、この着脱孔部Ｓｄａにポール部２の下端部に設けた着脱軸部Ｓｄｐを挿入して取付ける。これにより、ノルディックウォーキングポール１ａとして使用することができる。
【００５２】
図１１は、多目的ポール１をノーマルウォーキングポール１ｂとして使用する第二の態様を示す。この場合、ノーマルウォーキングポール用ストラップ３ｓｂ及びノーマルウォーキングポール用石突部４ｂを選択する。
【００５３】
ノーマルウォーキングポール１ｂは、通常のウォーキング時の補助として使用することができる。このため、ストラップ３ｓｂは、使用者が、グリップ本体部３ｍを容易に握れるとともに、容易に離脱できる構成を有している。このストラップ３ｓｂには、図４（ｂ）に示した上結合部材Ｓｕｅを使用する。例示のストラップ３ｓｂは、内部に紐５６を通すことができるストラップ本体５５を有するとともに、紐５６の一端５６ｊはストラップ本体５５に止着する。そして、紐５６の他端５６ｃ側は、上結合部材Ｓｕｅのストラップ取付部２７を通した後、ストラップ本体５５の内部を通し、さらに、下着脱部Ｓｄｐに取付けた下結合部材３２のストラップ取付部３２ｊを通した後、ストラップ本体５５に面ファスナ等を介して貼付けることにより止着することができる。また、上結合部材Ｓｕｅのグリップ取付部２６は、グリップ本体部３ｍにおける上着脱部Ｓｕｐの取付凹部２１に挿入し、固定ネジ２２を、挿通孔部２４に挿通させるとともに、ネジ取付孔２３に螺着して取付ける。
【００５４】
一方、石突部４ｂは、地面に接した際の安定性などを考慮した対称形状を有する。そして、全体をゴム素材等により一体成形するとともに、石突部４ｂの上端面から下方に着脱孔部Ｓｄｂを形成し、この着脱孔部Ｓｄｂにポール部２の下端部に設けた着脱軸部Ｓｄｐを挿入して取付ける。これにより、ノーマルウォーキングポール１ｂとして使用することができる。
【００５５】
図１２は、多目的ポール１をトレッキングポール１ｃとして使用する第三の態様を示す。この場合、トレッキングポール用ストラップ３ｓｃ及びトレッキングポール用石突部４ｃを選択する。
【００５６】
トレッキングポール１ｃは、トレッキング、即ち、山歩きに使用するため、ストラップ３ｓｃは、スキーポール用のストラップに類似するリング状のバンド部６１を有し、使用者は手をリング状のバンド部６１の中を通してグリップ本体部３ｍを握ることができる。また、ストラップ３ｓｃには、図４（ｂ）に示した上結合部材Ｓｕｅを使用するが、図１２に示す上結合部材Ｓｕｅは変形タイプのストラップ取付部２７ｃを用いている。このストラップ取付部２７ｃには、バンド部６１の一端を固定するとともに、バンド部６１の他端側は、ストラップ取付部２７ｃに設けた調整孔を通し、調整紐６２として調整孔から下方に導出させている。これにより、この調整紐６２を操作してバンド部６１の長さを使用者にマッチした長さに調整することができる。また、上結合部材Ｓｕｅのグリップ取付部２６は、グリップ本体部３ｍにおける上着脱部Ｓｕｐの取付凹部２１に挿入し、固定ネジ２２を、挿通孔部２４に挿通させるとともに、ネジ取付孔２３に螺着して取付ける。
【００５７】
一方、石突部４ｃは、地面に接した際の確実性などを考慮した比較的径の小さいピン形状を有する。そして、全体をゴム素材等により一体成形するとともに、石突部４ｂの上端面から下方に着脱孔部Ｓｄｃを形成し、この着脱孔部Ｓｄｃにポール部２の下端部に設けた着脱軸部Ｓｄｐを挿入して取付ける。これにより、トレッキングポール１ｃとして使用することができる。
【００５８】
図１３は、多目的ポール１をスキーポール１ｄとして使用する第四の態様を示す。この場合、スキーポール用ストラップ３ｓｄ及びスキーポール用石突部４ｄを選択する。
【００５９】
スキーポール１ｄは、スキーに使用するスキーストックとなるため、ストラップ３ｓｄは、中間部にバックル６４を設けたバンド部６３を有している。したがって、使用者は手をバンド部６３の中を通してグリップ本体部３ｍを握ることができる。この場合、バックル６４を用いてバンド部６３の長さを調整できる。また、ストラップ３ｓｄには、図４（ａ）に示したハトメ２５を取付けて上着脱部Ｓｕｐを構成する。これにより、ストラップ３ｓｄをグリップ本体部３ｍに取付ける際には、ハトメ２５の部位を取付凹部２１に挿入し、固定ネジ２２を、挿通孔部２４に挿通させるとともに、ネジ取付孔２３に螺着して取付ける。
【００６０】
一方、石突部４ｄは、ポール部２の下端部に設けた着脱軸部Ｓｄｐを兼用するとともに、着脱軸部Ｓｄｐにはリング６５を取付ける。リング６５は、全体をゴム素材等により一体成形するとともに、中心に着脱孔部Ｓｄｄを形成し、この着脱孔部Ｓｄｄに着脱軸部Ｓｄｐを挿入する。これにより、スキーポール１ｄとして使用することができる。なお、鍔部１８の径を選定することによりリング６５の代わりに用いることも可能である。
【００６１】
このように、本実施形態に係る多目的ポール１によれば、基本構成として、グリップ本体部３ｍ及びストラップ部３ｓを有するグリップ部３における当該グリップ本体部３ｍとポール部２を一体に構成したポールユニットＰｕと、異なる目的に対応した複数のストラップ部３ｓａ…と、グリップ本体部３ｍに対して複数のストラップ部３ｓａ…を選択的に取付け又は取外し可能にするストラップ着脱部Ｓｕと、異なる目的に対応した複数の石突部４ａ…と、ポール部２の下端部に対して複数の石突部４ａ…を選択的に取付け又は取外し可能にする石突着脱部Ｓｄとを備えてなるため、主要部を構成するポールユニットＰｕは、多目的ポール１の有するポール態様の種類数に拘わらず、一本用意すれば足りる。この結果、使用する全体の部品点数を大幅に削減できるとともに、ポールユニットＰｕ以外に使用する部品は、比較的、低コスト化及び単純化が可能になるため、全体の低コスト性及び資源節約性をより高めることができる。しかも、保管性及び携帯性もより高めることができるため、使用時の利便性を大きく向上させることができる。
【００６２】
以上、好適実施形態について詳細に説明したが、本発明は、このような実施形態に限定されるものではなく、細部の構成，形状，素材，数量等において、本発明の要旨を逸脱しない範囲で、任意に変更，追加，削除することができる。
【００６３】
例えば、実施形態は、異なる目的に対応した複数のストラップ部３ｓａ…として四種類のストラップ部３ｓａ…を例示したが、二種類，三種類又は五種類以上であってもよい。同様に、異なる目的に対応した複数の石突部４ａ…として四種類の石突部４ａ…を例示したが、二種類，三種類又は五種類以上であってもよい。また、図面に挙げた形態は一例であって各種形態（構成及び形状）により実施できる。一方、ポールユニットＰｕは、伸縮構造部Ｍｅ及び折畳構造部Ｍｓを含めて構成したが、伸縮構造部Ｍｅ又は折畳構造部Ｍｓの一方を設けるタイプやいずれも設けないタイプとして構成してもよい。さらに、湾曲面３ｍｒを設けるか否かは任意である。
【産業上の利用可能性】
【００６４】
本発明に係る多目的ポールは、ポール部，このポール部の上端部に設けたグリップ部及び当該ポール部の下端部に設けた石突部を備える各種ポールに利用することができる。
【符号の説明】
【００６５】
１：多目的ポール，２：ポール部，２ａ：ポールメンバ，２ｂ：ポールメンバ，２ｃ：ポールメンバ，２ｄ：ポールメンバ，２ｅ：ポールメンバ，３：グリップ部，３ｍ：グリップ本体部，３ｓ：ストラップ部，Ｐｕ：ポールユニット，Ｓｕ：ストラップ着脱部，Ｓｄ：石突着脱部，Ｍｅ：伸縮構造部，Ｍｓ：折畳構造部，Ｆｆ：周方向，Ｃｐ：回止部，Ｃｑ：回止部，３ｍｒ：湾曲面，３ｓａ：ノルディックウォーキングポール用ストラップ部，３ｓｂ：ノーマルウォーキングポール用ストラップ部，３ｓｃ：トレッキングポール用ストラップ部，３ｓｄ：スキーポール用ストラップ部，４ａ：ノルディックウォーキングポール用石突部，４ｂ：ノーマルウォーキングポール用石突部，４ｃ：トレッキングポール用石突部，４ｄ：スキーポール用石突部
【図１】
2018121687.tif 000003
【図２】
2018121687.tif 000004
【図３】
2018121687.tif 000005
【図４】
2018121687.tif 000006
【図５】
2018121687.tif 000007
【図６】
2018121687.tif 000008
【図７】
2018121687.tif 000009
【図８】
2018121687.tif 000010
【図９】
2018121687.tif 000011
【図１０】
2018121687.tif 000012
【図１１】
2018121687.tif 000013
【図１２】
2018121687.tif 000014
【図１３】
2018121687.tif 000015